(57)【特許請求の範囲】
【請求項１】
ドア枠に対して手前・奥方向にスイング可能なドア板と、
該ドア板を前記ドア枠に対して回動可能に支持するとともに、前記ドア板を閉位置にオートリターンさせるドアヒンジと、
を具備するスイングドアであって、
前記ドア板が手前又は奥の片側にのみ開く片開き状態と、前記ドア板が手前及び奥の両側に開く両開き状態とに切り替える機構をさらに具備し、
前記片開き・両開き切替機構として、
前記ドア枠に取り付けられた、前記ドア板が片側にのみ開くように規制する戸当りと、
前記ドア板に取り付けられた、前記戸当りに干渉する片開き位置と干渉しない両開き位置との間で、手動で変位可能な切替金具と、
該切替金具を案内するとともに支持するガイド金具と、
を有し、
前記切替金具が、昇降可能であって、上昇時に片開き位置となり、下降時に両開き位置となり、
前記切替金具を上昇位置で保持するマグネットをさらに有することを特徴とするスイングドア。
【請求項２】
前記切替金具に、前記戸当りに当たる当り面、及び、前記マグネットに吸着される吸着面、が形成されており、
両面の交差角度が略直角であることを特徴とする請求項１記載のスイングドア。
【請求項３】
ドア枠に対して手前・奥方向にスイング可能なドア板と、
該ドア板を前記ドア枠に対して回動可能に支持するとともに、前記ドア板を閉位置にオートリターンさせるドアヒンジと、
を具備するスイングドアであって、
前記ドア板が手前又は奥の片側にのみ開く片開き状態と、前記ドア板が手前及び奥の両側に開く両開き状態とに切り替える機構をさらに具備し、
前記片開き・両開き切替機構として、
前記ドア枠に取り付けられた、前記ドア板が片側にのみ開くように規制する戸当りと、
前記ドア板に取り付けられた、前記戸当りに干渉する片開き位置と干渉しない両開き位置との間で、手動で変位可能な切替金具と、
該切替金具を案内するとともに支持するガイド金具と、
を有し、
前記片開き位置において前記ガイド金具が前記切替金具を支持する面が、前記ドア板のスイング方向に対して略直角な面と、前記方向に沿う面とを含むことを特徴とするスイングドア。
【請求項４】
前記切替金具が、
前記戸当りに当たるとともに、前記ガイド金具に支持される略垂直な上部片と、
該上部片の下端から略水平に延び、前記マグネットに吸着されるとともに、前記ガイド金具に支持される中間片と、
該中間片から下に延びる指掛け片と、
を有することを特徴とする請求項１又は２記載のスイングドア。
【請求項５】
前記ガイド金具が、
前記ドア板に固定される基部と、
該基部から略水平に突出する水平部と、
該水平部の先端において略垂直に立ち上がる垂直部と、
を有し、
前記水平部の先端近傍に、前記切替金具の上部片が上下に貫通する切替金具スライド孔が形成されており、
該切替金具スライド孔の前記基部寄りに、前記マグネットが取付けられており、
前記垂直部が、前記切替金具の上部片を略水平方向に支持し、
前記水平部が、前記切替金具の中間片を略垂直方向に支持することを特徴とする請求項４記載のスイングドア。
【請求項６】
前記ガイド金具を覆う、前記ドア板から略水平方向に突出する、緩衝材付きの保護金具をさらに具備することを特徴とする請求項１〜５いずれか１項記載のスイングドア。
【請求項７】
前記戸当りと前記切替金具との間にダンパーが介装されていることを特徴とする請求項１〜６いずれか１項記載のスイングドア。
【発明の詳細な説明】
【技術分野】
【０００１】
本発明は、ドア枠に対して前後方向にスイング可能なドア板と、該ドア板を閉位置にオートリターンさせるドアヒンジと、を具備するスイングドアに関する。特には、手間がかからずに片開き状態と両開き状態とを切替可能となるように改良を加えたスイングドアに関する。
【背景技術】
【０００２】
スイングドアの中には、ドア板が自動的に元の位置（閉位置）に戻るように構成された、いわゆるオートリターン機能を備えたものがある。このようなスイングドアは、例えばスーパーマーケットやコンビニ、あるいはレストラン等で従来から広く利用されている。例えば特許文献１や特許文献２には、オートリターン機能を備えたスイングドアが開示されている。
【先行技術文献】
【特許文献】
【０００３】
【特許文献１】特公昭４３−９１６０号公報
【特許文献２】特開２００６−２４９８５７号公報
【発明の概要】
【発明が解決しようとする課題】
【０００４】
スイングドアは、典型的には、スーパーやコンビニなどの小売店において、売り場スペースとバックヤードスペースとの間に設置される。売り場スペースには子供や老人などを含む買い物客がいるので、スイングドアが勢いよく開き出ると支障が有る場合もある。そこで、ドア板の一部を半透明にするなど、ドア板の後ろ側に人がいることが分かるような対策を施しているものもある。
【０００５】
さらに、店が開いている時間帯あるいは混雑時間帯は、ドア板が売り場スペース側には開き出さないようにし（片開き状態）、閉店時や商品補充時のみに両開き状態とすることも考えられる。その場合、最も簡易な方法は、戸当りをドア枠などに取り付けて片開き状態とし、この戸当りを外して両開き状態とするものである。しかしこの方法では、戸当りの取付取外に手間がかかる。
【０００６】
本発明は、手間がかからずに片開き状態と両開き状態とを切替可能なスイングドアを提供することを目的とする。また、操作し易い片開き・両開き切替機構を有するスイングドアを提供することを目的とする。あるいは、軽量ながら十分な強度を有し、多数回のドア板の衝突にも耐えうる片開き・両開き切替機構を有するスイングドアを提供することを目的とする。
【課題を解決するための手段】
【０００７】
上記目的を実現するため、本発明のベースとなる第１のスイングドアは、ドア枠に対して手前・奥方向にスイング可能なドア板と、該ドア板を前記ドア枠に対して回動可能に支持するとともに、前記ドア板を閉位置にオートリターンさせるドアヒンジと、を具備するスイングドアであって、前記ドア板が手前又は奥の片側にのみ開く片開き状態と、前記ドア板が手前及び奥の両側に開く両開き状態とに切り替える機構をさらに具備する。
【０００８】
このスイングドアは、ドア板が手前又は奥の片側にのみ開く片開き状態と、ドア板が手前及び奥の両側に開く両開き状態とに切り替える機構を具備するので、手間がかからずに片開き状態と両開き状態とを切替可能なスイングドアを提供することができる。
【０００９】
このスイングドアにおいては、片開き・両開き切替機構として、  前記ドア枠に取り付けられた、前記ドア板が片側にのみ開くように規制する戸当りと、  前記ドア板に取り付けられた、前記戸当りに干渉する片開き位置と干渉しない両開き位置との間で、手動で変位可能な切替金具と、  該切替金具を案内するとともに支持するガイド金具と、  を有するものとできる。
【００１０】
戸当りに干渉する片開き位置と干渉しない両開き位置との間で手動で変位可能な切替金具をドア板側に付けるので、動力配線を這わせる必要がなく、シンプルな構成にできる。また、既存（既設）ドアにも容易に設置可能である。
【００１１】
切替金具は、昇降可能であって、上昇時に片開き位置となり、下降時に両開き位置となることが好ましい。昇降式の場合、１ＷＡＹ（方向）の操作であり、操作が簡単である。また、上昇位置・下降位置で切替金具を保持しておく（意図しない切替を防ぐ）手段も構成しやすい。切替金具を回動式やヒンジによる折り畳み式に位置切り替えすることもできるが、操作性とコスト面で、昇降式の方が有利と考えられる。
【００１２】
本発明のスイングドアは、切替金具を上昇位置で保持するマグネットをさらに有することが好ましい。マグネット吸着により位置保持をするので、複雑な機構・操作は不要である。なお、下降位置においては、重力で、容易に位置保持できる。
【００１３】
さらに、切替金具に、戸当りに当たる当り面、及び、マグネットに吸着される吸着面、が形成されており、両面の交差角度が略直角であることが好ましい。切替金具が戸当りに当たるときの衝突力の方向が、マグネットの吸着力の方向と略直角であるので、衝突力によってマグネットの吸着が外れるようなことがない。
【００１４】
本発明のスイングドアにおいては、前記片開き位置において前記ガイド金具が前記切替金具を支持する面が、前記ドア板のスイング方向に対して略直角な面と、前記方向に沿う面とを含むことも好ましい。
【００１５】
切替金具が戸当りに当たるときの衝突力は、基本的には、ドア板のスイング方向と同じ方向である。この衝突力は、ドア板スイング方向に対して略直角な面で受ける。そしてドア板スイング方向に沿う面では、切替金具を回そうとする回転モーメントを受ける。切替金具の戸当りと当たる部分は、ドア板から上に片持ちで張り出すのが一般的と考えられるが、その場合、戸当りへの衝突力が切替金具を回す相当大きいモーメントを生むこととなる。このモーメントをネジなどで受けると強度的に不安があると同時に、多数回のドア開閉により、次第にガタやユルミ、あるいは切替金具の変形・破損が生じるおそれがある。この態様のように、上記モーメントをドア板スイング方向に沿う面で受ければ、切替金具の耐久性・軽量性を向上させることができる。
【００１６】
本発明のスイングドアにおいては、前記切替金具が、  前記戸当りに当たるとともに、前記ガイド金具に支持される略垂直な上部片と、  該上部片の下端から略水平に延び、前記マグネットに吸着されるとともに、前記ガイド金具に支持される中間片と、  該中間片から下に延びる指掛け片と、  を有するものとできる。鋼板のプレス構造で切替金具を実現でき、コスト低減できる。なお、指掛け片は、中間片のマグネット吸着部の直下におくことが、切替金具を下降させる際に切替金具に抉るような力が働かないので好ましい。
【００１７】
本発明のスイングドアにおいては、前記ガイド金具が、  前記ドア板に固定される基部と、  該基部から略水平に突出する水平部と、  該水平部の先端において略垂直に立ち上がる垂直部と、  を有し、  前記水平部の先端近傍に、前記切替金具の上部片が上下に貫通する切替金具スライド孔が形成されており、  該切替金具スライド孔の前記基部寄りに、前記マグネットが取付けられており、  前記垂直部が、前記切替金具の上部片を略水平方向に支持し、  前記水平部が、前記切替金具の中間片を略垂直方向に支持するものとできる。切替機構の耐久性・操作性・軽量性を実現するうえで、一つの好適なガイド金具構造を提供できる。
【００１８】
本発明のスイングドアは、前記ガイド金具を覆う、前記ドア板から略水平方向に突出する、緩衝材付きの保護金具をさらに具備することが好ましい。ドアを通って出し入れしようとする商品・梱包などが切替機構の金具に当たって壊れる被害を低減できる。また、ドアを勢い良く開いた時にドアを勢い良く開いた時にドア板が建物壁などに当たって、ドア板や建物壁が損傷することも防止できる。
【００１９】
本発明の第２のスイングドアは、ドア枠に対して前後方向にスイング可能なドア板と、該ドア板を前記ドア枠に対して回動可能に支持するとともに、前記ドア板を閉位置にオートリターンさせるドアヒンジと、前記ドア枠に設置されて前記ドア板の回動範囲を規制する、ダンパー付きの戸当りを具備することを特徴とする。
【００２０】
従来のゴムクッションでは、緩衝不足であり、閉位置停止時にバウンドが生じて、ドア板が閉位置にすぐに静止しなかった。また、ドア板の上部がゴムクッションに衝突したとき、ドア板の下部が慣性でオーバーラン（行き過ぎ）して、ドア板下部が曲がり・ヒネリを起す。これが多数回繰り返されると、ドア板の積層構造（芯板と表面板など）の接着剥がれが起こることがあった。なお、自動閉式のスイングドアでは、閉位置でスイングスピードが最大となるので、上記の問題は、それなりに深刻な問題となりうる。
【００２１】
本発明の第２のスイングドアにおいては、オイルダンパー等のダンパーを使用することにより、ドア板が戸当りに当たるときの衝撃を緩和するので、バウンドが生じにくく、ドア板が速やかに静止する。また、ドア板下部の慣性オーバーランも緩和され、ドア板の積層剥れも抑制される。
【発明の効果】
【００２２】
本発明によれば、手間がかからずに片開き状態と両開き状態とを切替可能なスイングドアを提供できる。また、操作し易い片開き・両開き切替機構を有するスイングドアを提供できる。あるいは、軽量ながら十分な強度を有し、多数回のドア板の衝突にも耐えうる片開き・両開き切替機構を有するスイングドアを提供することができる。
【図面の簡単な説明】
【００２３】
【図１】本発明の一実施の形態に係るスイングドア全体の外観を示す正面図である。
【図２】図１のスイングドアの片開き・両開き切替機構の具体的な構成例を示す一部断面側面図である。この図では、切替機構は、片側開き状態である。
【図３】図１・２のスイングドアの両開き状態における切替機構を示す一部断面側面図である。
【図４】図２・３のスイングドア切替機構の要部の平面図である。
【図５】図２・３のスイングドア切替機構の要部の正面図である。
【符号の説明】
【００２４】
１  スイングドア      ３  ドア枠      ３ａ  下面
５  ドアヒンジ                        ７  ドア板
８  片開き・両開き切替機構            ９  下スイング軸
１１  戸当り                      １２  フレーム
１３  オイルダンパー              １５  ダンパーロッド
２０  指        ２１  切替金具        ２３  上部片
２３ａ  上部幅広部      ２３ｂ  上辺      ２３ｃ  段部      ２３ｄ  当り面
２３ｅ  下部幅狭部      ２３ｈ  被支持垂直面
２５  中間片      ２５ａ  吸着面      ２５ｃ  非保持水平面
２６  垂下部      ２７  指掛け片      ２７ａ  上面２７      ２９  当て板
Ｃ（up）  片開き状態スキマ      Ｃ（down）  両開き状態スキマ      Ｃ  スキマ
４１  ガイド金具        ４３基部      
４５  水平突出部        ４５ｂ  切替金具スライド孔      ４５ｃ  マグネット窓
４５ｄ  支持水平面      ４５ｆ  両側板      ４５ｇ  底板
４５ｈ  根元部
４７  垂直部      ４７ａ  内壁面、支持垂直面
４９  ブラケット      ４９ａ  元板      ４９ｃ  リブ
６１  マグネット      ６１ｃ  吸着部
８１  保護金具                ８３  ゴムクッション
【発明を実施するための形態】
【００２５】
以下、本発明の実施の形態について、図面を参照しながら詳細に説明する。
図１に示すように、本実施形態のスイングドア１は、ドア枠３に対して前後方向（人の通り抜ける方向、手前・奥方向ともいう）に回動（スイング）可能に取り付けられた、左右２枚のドア板７を有している。ドア枠３の左右上隅部には、ドア枠３とドア板７とを連結するヒンジ装置（ドアヒンジ）５が設けられている。ドアヒンジ５は、ドア板７を回動自在に吊下げているとともに、ドア板７を閉位置（図１の状態）でやや安定するように保持するための、重力あるいはバネ力等を利用した付勢機構を有する（先行技術文献参照）。
【００２６】
ドア枠の左右下隅部には、ドア板７を回動支持する下スイング軸９が設けられている。この下スイング軸９と上のドアヒンジ５が形成するドア板回動軸は、鉛直軸から上内側方向にやや倒れるように傾いている。これによりドア板７の重心が開時よりも閉時に低く位置することとなり、ドア板７は、重力の作用により自動的に閉位置に戻るようになっている（オートリターン機構）。
【００２７】
ドア枠３の上部中央には、下方に向かってせり出すような形態で、片開き・両開き切替機構８が取り付けられている。この、片開き・両開き切替機構８は、詳しくは次述するように、ドア板７が手前又は奥の片側にのみ開く片開き状態（図２）と、ドア板７が手前及び奥の両側に開く両開き状態（図３）とに切り替えるものである。
【００２８】
以下、片開き・両開き切替機構８について説明する。まず、図２（片開き状態）と図３（両開き状態）とを参照しつつ、切替機構８の概要について説明する。図２・３には、上部において平たい長方形状に描かれたドア枠３（断面）と、その下方において上下方向に延びるドア板７が示されている。
【００２９】
この例の片開き・両開き切替機構８は、概ね、以下の部分から構成されている。
（１）上側のドア枠３の中央部下面３ａに取り付けられた、片開き時に、ドア板７が片側にのみ開くように規制する戸当り１１。この戸当り１１のフレーム１２は、ドア枠３の下面に強固に固定されている。
【００３０】
（２）戸当り１１に付設されているオイルダンパー１３。このダンパー１３は、上記フレーム１２内に取付けられている。フレーム１２は、前又は後ろ方向（図において左方向）に延び出た進退可能なロッド１５を有し、片開き状態においては、このロッド１５の先端にドア板７側の切替金具２１が当たる。このダンパー１３によって、ドアの片開き閉時の衝撃が吸収される。
【００３１】
（３）ドア板７に対して昇降可能（図２が上昇位置、図３が下降位置）に取り付けられた切替金具２１。この切替金具２１は、図２に上昇位置において、戸当り１１（ダンパーロッド１５）に干渉する片開き状態となり、図３の下降位置において、戸当り１１と干渉しない両開き状態となる。
（４）ドア板７に強固に固定された、切替金具２１を上下摺動可能に案内するとともに支持するガイド金具４１。
【００３２】
（５）ガイド金具４１の左寄り部に取付けられたマグネット６１。このマグネット６１は、切替金具２１を上昇位置で保持する。
（６）ドア板７から略水平方向（前後方向）に突出する、ガイド金具２３の前又は後ろを覆う、緩衝材８３（ゴムクッションブロック）付きの保護金具８１。
【００３３】
次に、切替金具２１の詳細構造について、図２・３・５（正面一部断面図）を参照しつつ、説明する。この例の切替金具２１は、戸当り１１（ダンパーロッド１５）に当たる略垂直な上部片２３を有する。この上部片２３は、ガイド金具４１に前又は後方向に支持される。上部片２３の下端からは、中間片２５が略水平に延びている。中間片２５は、ガイド金具４１に上方向に支持されている。中間片２５の図の右端からは、下方に延びる指掛け片２７が垂下している。この例の切替金具２１は、厚さ３mm程度の磁性ステンレス鋼（ＪＩＳ−ＳＵＳ４３０）をプレス曲げ加工して形成されている。
【００３４】
上部片２３は、図５の正面図に見られるように、上部幅広部２３ａと下部幅狭部２３ｅからなり、上下に立ち上がる板状のものである。図５において、上昇時の切替金具２１（上部片２３等）を実線で示し、下降時の切替金具２１を二点鎖線で示す。上部幅広部２３ａは、横広の略長方形である。上部幅広部２３ａの上辺２３ｂは、切替金具上昇時は、比較的狭いスキマＣ（up）（一例で２mm）を隔ててドア枠３の下面３aと対している。
【００３５】
図３に最も分かり易く示すように、切替金具２１が下降すると、その上辺２３ｂは、ほぼドア枠７の上辺７aと同じ高さに下がる。このとき、切替金具２１の上辺２３ｂは、戸当り１１のフレーム１２やダンパー１３の下面１２a・１３aより下の高さまで下がる。この状態で、切替金具２１の上辺２３ｂとドア枠下面３aとの間には、比較的広いスキマＣ（down）（一例で20mm）が開く。また、戸当り（ダンパー１３）の下面１３aと切替金具上辺２３ｂとの間にもスキマＣ（一例で７mm）が開く。
【００３６】
図２に示すように、切替金具２１の上部片２３の上部幅広部２３ａのドア７寄りの面２３ｄは、上昇時（片開き状態）には、ダンパーロッド１５の先端と対向する位置（高さ）にある。この当り面２３ｄは、片開き状態で開から閉になるときにダンパーロッド１５の先端が当り、同ロッド１５はエネルギー吸収しながらダンパー（シリンダ）１３の中に引っ込む。なお、既に説明したことではあるが、切替金具２１の下降時（両開き状態）には、図３に示すように、切替金具上部片２３は下がって、切替金具２１がダンパー１３等に当たることはない。
【００３７】
図５に見られるように、切替金具２１の上部片２３の下部幅狭部２３ｅは、段部２３ｃを介して、上部片２３に接続されている。この下部幅狭部２３ｅは、ガイド金具４１のスライド孔４５ｂ（図２・３を参照しつつ後述）に上下スライド可能に嵌合している。図２に見られるように、この下部幅狭部２３ｅの反ドア側の面２３ｈは、ガイド金具４１の支持垂直面４７ａに当たる被支持垂直面２３ｈとなっている。同面２３ｈを介して、片開き状態のドア板閉時に、上部片２３ａの当り面２３ｄにダンパーロッド１５が当たる力を、ガイド金具４１が受ける。
【００３８】
図５に見られるように、切替金具２１の段部２３ｃは、下降時には、ガイド金具４１の底板４５ｇの上に当たって、それ以上、切替金具２１が下がらないようになっている。なお、切替金具２１の上部片２３は、組立時に、ガイド金具４１のスライド孔４５ｂ、マグネット覗き窓４５ｃから、斜めにした状態で下に差込可能である。
【００３９】
図２に見られるように、切替金具２１の上部片２３の下端は、直角に曲げられていて、水平方向に延びる中間片２５が接続している。中間片２５も、長方形の平板である。中間片２５のドア板から遠い約半分の部分の上面２５ａは、上昇時にマグネット６１に吸着する吸着面２５      ａとなっている。同面２５ａに続く、ドア板に近い約半分の部分の上面２５ｃは、切替金具２１が戸当り１１に当たるときに切替金具２１に加わるモーメント（図２において切替金具２１を反時計方向に回すモーメント）を受ける被支持水平面２５ｃとなっている。
【００４０】
切替金具２１の中間片２５のドア板寄りの端は、直角に曲げられていて、下方に延びる垂下部２６が接続している。さらに、垂下部２６の下端も、直角に曲げられていて、ドア板７から離れる水平方向に延びる指掛け片２７が接続している。これら垂下部２６及び指掛け片２７も、長方形の平板である。図３に見られるように、指掛け片２７の上面２７ａに指２０を掛けて下に引けば、切替金具２１はマグネット６１から離れて下降し、両開き状態となる。指掛け片２７を上に押し上げれば、切替金具２１は上昇し片開き状態となる。切替の両開き状態（下降位置）は、切替金具２１にかかる重力により維持される。片開き状態（上昇位置）は、マグネット６１の吸着力（上方向の力）により維持される。なお、指掛け片２７はちょうどマグネット６１の吸着部６１ｃの真下あたりまで張り出しており、指２０から指掛け片２７にかかる力が、ちょうどマグネット６１の吸着打ち消す（余分なモーメントを切替金具に与えない）構造となっている。
【００４１】
上述のように、切替金具２１は、昇降式に１ＷＡＹ（方向）の操作で片開き・両開き切替可能であり、操作が簡単である。また、上昇位置・下降位置で切替金具２１を保持しておく（意図しない切替を防ぐ）手段としてマグネット６１を採用しており、複雑な機構・操作は不要である。
【００４２】
また、この例においては、切替金具２１には、戸当り１１（ダンパーロッド１５）に当たる当り面２３ｄと、マグネット６１に吸着される吸着面２５ａ、が形成されており、両面の交差角度が略直角である。したがって、切替金具２１が戸当り１１に当たるときの衝突力の方向が、マグネット６１の吸着力の方向と略直角であるので、衝突力によってマグネットの吸着が外れるようなことがない。
【００４３】
また、片開き位置においてガイド金具４１が切替金具２１を支持する面が、ドア板７のスイング方向に対して略直角な被支持垂直面２３ｈと、前記方向に沿う被支持水平面２５ｃとを含む。このような構成により、切替金具２１が戸当り１１に当たるときの衝突力（基本的には、ドア板７のスイング方向と同じ方向である）は、その力方向に対して略直角な被支持垂直面２３ｈで受ける。そして、ドア板スイング方向に沿う被支持水平面２５ｃでは、切替金具２１を回そうとする回転モーメントを受ける。
【００４４】
本実施形態においてもそうであるが、一般的に、切替金具２１の戸当りと当たる部分（当り面２３ｄ、上部片２３）は、ドア板７から上に片持ちで張り出さざるをえず、戸当り１１への衝突力が切替金具２１を回す相当大きいモーメントを生むこととなる。このモーメントをネジなどで受けると強度的に不安があると同時に、多数回のドア開閉により、次第にガタやユルミ、あるいは切替金具の変形・破損が生じるおそれがある。本実施形態の切替機構においては、上記モーメントを被支持水平面２５などで受ければ、切替金具２１の耐久性・軽量性を向上させることができる。
【００４５】
次に、ガイド金具４１について説明する。
図３に見られるように、この例のガイド金具４１は、ドア板７に固定される基部４３及びブラケット４９と、該基部４３から略水平に突出する水平突出部４５と、該水平突出部４５の先端において略垂直に立ち上がる垂直部４７と、を有する。そして、水平部突出４５の先端近傍に、切替金具２１の上部片２３が上下に貫通する切替金具スライド孔４５ｂが形成されている。また、同孔４５ｂの隣（基部４３側）には、マグネット６１の覗いているマグネット窓４５ｃが開けられている。同窓４５ｃの上方には、マグネット６１が取り付けられている。
【００４６】
ガイド金具４１の水平突出部４５は、図５に見られるように、垂直断面が上開きコの字状の部材である（底板４５ｇ及び両側板４５ｆからなる）。一例では、厚さ２mmの、非磁性ステンレス鋼（JIS−SUS304−HL）を溶接したものである。水平突出部４５の上面（両側板４５ｆの上辺）は、ほぼドア板７の上面７ａと同じ高さである。
【００４７】
図２に見られるように、水平突出部４５の根元（ドア板寄り）の部分４５ｈには、ドア板７に沿う基部４３が立ち上がっている。この基部４３はドア板７に強固にボルト止めされている。基部４３及び水平突出部４５の根元部４５ｈの下には、ガイド金具４１を支えるブラケット４９が、溶接等により固着されている。ブラケット４９は、水平断面で幅広のコの字状であり、元板４９ａと、同板４９ａから側方に立ち上がるリブ４９ｃとからなる。ブラケット４９は、片開き状態で切替金具２１が戸当り１１に当たるときの衝撃力により、ガイド金具４１の水平突出部４５が下にお辞儀しないように支えるものである。
【００４８】
ガイド金具４１の基部４３のドア板７を挟んで対向する位置には、当て板２９が取り付けられている。この例では、当て板２９は、厚さ２mmのステンレス鋼（JIS−SUS304−HL）製の板である。当て板２９は、ガイド金具４１固定用のボルトやナットが締め付けられる。ドア板７はアルミニウムや樹脂系などの比較的柔らかい材料から構成されているので、ボルトやナットを強く締めこめない（めり込んでしまう）。そこで、当て板２９でドア板７の表面を補強し、ボルト等を強く締め込めるようにしている。
【００４９】
図２・３に見られるように、ガイド金具４１における水平突出部４５の底板４５ｇの先端寄りの部分には、切替金具上部片２３のスライドするスライド孔４５ｂと、マグネット６１の吸着部６１ｃが覗いているマグネット窓４５ｃが開けられている。両者ともに、図４の平面図に見られるように、スリットあるいは長方形の孔である。図２に示すように、マグネット窓４５ｃの隣（基部４３側）における底板４５ｇの下面４５ｄは、上述の切替金具２１中間片２５の被支持水平面２５ｃの当たる支持水平面４５ｄとなっている。
【００５０】
水平突出部４５の先端には、上方向に立ち上がる垂直部４７が接続されている。この垂直部４７は、水平突出部４５の底板４５ｇの先端を上に曲げたものであり、また水平突出部４５側板４５ｆの先端部との間は溶接されて、強固な箱上構造体の位置側壁を構成している。垂直部４７の内壁面４７ａは、上述の切替金具２１上部片２３の被支持垂直面２３ｈの当たる支持垂直面４７ａとなっている。
【００５１】
マグネット６１は、ガイド金具４１の水平突出部４５の先端寄りに取り付けられている。具体的には、ガイド金具水平突出部４５の上面にブラケット６３がネジ固定されており、このブラケット６３にマグネット６１がネジ固定されている。この例では、マグネット６１は、タキゲン社製の異方性フェライトという永久磁石である。マグネット６１の先端側の面６１ａと、ガイド金具垂直部４７の内壁面４７ａとの間には、切替金具２１の上部片２３が上下にスライドするスキマが存在する。
【００５２】
マグネット６１の下面は吸着部６１となっており、この吸着部６１ｃは、ガイド金具水平突出部４５のマグネット窓４５ｃに頭を出している。マグネット吸着部６１ｃには、片開き状態（切替金具２１上昇時）に、切替金具中間片２５の上面の吸着面２５ａが吸着し、切替金具２１が上昇位置で保持される。
【００５３】
このガイド金具４１においては、垂直部４７が、切替金具２１の上部片２３を略水平方向に支持し、水平突出部４５が、切替金具４１の中間片２５を略垂直方向に支持する。このような切替金具２１とガイド金具４１との組合せにより、戸当り１１に当たる際の衝突力生む大きいモーメントを、面と面で受ける構造となるので、切替金具２１・ガイド金具４１の耐久性・軽量性を向上させることができる。
【００５４】
図４に見られるように、この実施形態のスイングドアには、上述のガイド金具４１を覆うための、ドア板７から略水平方向に突出する保護金具８１をさらに具備する。保護金具８１は、平面形状が台形に形成された、ステンレス鋼（JIS−SUS304−HL）製の金具である。台形の両端部の羽根部８１ａにおいて、保護金具８１はドア板７に固定されており、台形の内側にガイド金具４１が存在する。保護金具８１の先端辺８１ｂの外側には、ゴムクッション８３が取り付けられている。この保護金具８１・ゴムクッション８３があるので、ドアを通って出し入れしようとする商品・梱包などが切替機構８の金具に当たって壊れる被害を低減できる。また、ドアを勢い良く開いた時にドア板が建物壁などに当たって、ドア板や建物壁が損傷することも防止できる。
【００５５】
以上のように構成された本実施形態のスイングドアの動作について、まとめて説明する。
このスイングドアにおいては、切替金具２１は、手動で昇降可能である。図５においては、上昇時の切替金具２１を実線で示し、下降時の切替金具２１を二点鎖線で示す。切替金具２１の上昇時には、図２に示すように、切替金具２１の上部片２３は、ダンパーロッド１５の先端と対向する位置（高さ）にある。そのため、ドアが開から閉になるときには、ダンパーロッド１５の先端が切替金具２１の上部片２３に当り、同ロッド１５はエネルギー吸収しながらダンパー（シリンダ）１３の中に引っ込む。これにより、ドアの片開き状態を実現している。一方、切替金具２１の下降時には、図３に示すように、切替金具上部片２３は下がって、切替金具２１がダンパー１３等に当たることはない。そのため、ドアは両開き状態となる。
【図１】
0005654390.tif 000002
【図２】
0005654390.tif 000003
【図３】
0005654390.tif 000004
【図４】
0005654390.tif 000005
【図５】
0005654390.tif 000006